【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
補間されたサブ整数画素値に基づいて予測ブロックを生成することと、
ここで、所与のサブ整数画素の値は、前記補間されたサブ整数画素値のうちの１つであり、
前記所与のサブ整数画素のサブ整数画素位置は、フル整数画素に関連する１５個の異なるサブ整数画素位置のうちの１つであり、前記フル整数画素に関連する前記サブ整数画素位置の各々は、フィルタサポートの異なるセットを有し、
前記予測ブロックを生成することは、前記サブ整数画素位置のためのフィルタサポートのセットと、補間フィルタとに基づいて前記所与のサブ整数画素の値を計算することを備える、
元のブロックを再現するために前記予測ブロックに残差ブロックを適用することと
を備える方法。
【請求項２】
前記フル整数画素に関連する前記サブ整数画素位置のそれぞれのサブ整数画素位置ごとに、前記それぞれのサブ整数画素位置のためのフィルタサポートの前記セットは、水平または垂直な形状を有する、請求項１に記載の方法。
【請求項３】
前記フル整数画素に関連する前記サブ整数画素位置の各々は、異なる補間フィルタを使用する、請求項１に記載の方法。
【請求項４】
前記所与のサブ整数画素の値が基づくフィルタサポートの前記セットを、前に符号化されたフレームに基づいて選択することをさらに備える、請求項１に記載の方法。
【請求項５】
ビデオデータを符号化する方法であって、
補間されたサブ整数画素値に基づいて予測ブロックを生成することと、
ここで、所与のサブ整数画素の値は、前記補間されたサブ整数画素値のうちの１つであり、
前記所与のサブ整数画素のサブ整数画素位置は、フル整数画素に関連する１５個の異なるサブ整数画素位置のうちの１つであり、前記フル整数画素に関連する前記サブ整数画素位置の各々は、フィルタサポートの異なるセットを有し、
前記予測ブロックを生成することは、前記サブ整数画素位置のためのフィルタサポートのセットと、補間フィルタとに基づいて前記所与のサブ整数画素の値を計算することを備える、
符号化されているビデオブロックから前記予測ブロックを減算して、残差ブロックを生成することと
を備える方法。
【請求項６】
前記フル整数画素に関連する前記サブ整数画素位置のそれぞれのサブ整数画素位置ごとに、前記それぞれのサブ整数画素位置のためのフィルタサポートの前記セットは、水平または垂直な形状を有する、請求項５に記載の方法。
【請求項７】
前記フル整数画素に関連する前記サブ整数画素位置の各々は、異なる補間フィルタを使用する、請求項５に記載の方法。
【請求項８】
前記所与のサブ整数画素の値が基づくフィルタサポートの前記セットを、前に符号化されたフレームに基づいて選択することをさらに備える、請求項５に記載の方法。
【請求項９】
ビデオデータを復号するための装置であって、
前記ビデオデータを記憶するメモリと、
１つ以上のプロセッサと
を備え、前記１つ以上のプロセッサは、
補間されたサブ整数画素値に基づいて予測ブロックを生成することと、
ここで、所与のサブ整数画素の値は、前記補間されたサブ整数画素値のうちの１つであり、
前記所与のサブ整数画素のサブ整数画素位置は、フル整数画素に関連する１５個の異なるサブ整数画素位置のうちの１つであり、前記フル整数画素に関連する前記サブ整数画素位置の各々は、フィルタサポートの異なるセットを有し、
前記予測ブロックを生成することの一部として、前記１つ以上のプロセッサは、前記サブ整数画素位置のためのフィルタサポートのセットと、補間フィルタとに基づいて前記所与のサブ整数画素の値を計算する、
元のブロックを再現するために前記予測ブロックに残差ブロックを適用することと
を行うように構成される、装置。
【請求項１０】
前記フル整数画素に関連する前記サブ整数画素位置のそれぞれのサブ整数画素位置ごとに、前記それぞれのサブ整数画素位置のためのフィルタサポートの前記セットは、水平または垂直な形状を有する、請求項９に記載の装置。
【請求項１１】
前記フル整数画素に関連する前記サブ整数画素位置の各々は、異なる補間フィルタを使用する、請求項９に記載の装置。
【請求項１２】
前記１つ以上のプロセッサは、
前記所与のサブ整数画素の値が基づくフィルタサポートの前記セットを、前に符号化されたフレームに基づいて選択すること
を行うように構成される、請求項９に記載の装置。
【請求項１３】
ビデオデータを符号化するための装置であって、
前記ビデオデータを記憶するメモリと、
１つ以上のプロセッサと
を備え、前記１つ以上のプロセッサは、
補間されたサブ整数画素値に基づいて予測ブロックを生成することと、
ここで、所与のサブ整数画素の値は、前記補間されたサブ整数画素値のうちの１つであり、
前記所与のサブ整数画素のサブ整数画素位置は、フル整数画素に関連する１５個の異なるサブ整数画素位置のうちの１つであり、前記フル整数画素に関連する前記サブ整数画素位置の各々は、フィルタサポートの異なるセットを有し、
前記予測ブロックを生成することの一部として、前記１つ以上のプロセッサは、前記サブ整数画素位置のためのフィルタサポートのセットと、補間フィルタとに基づいて前記所与のサブ整数画素の値を計算する、
符号化されているビデオブロックから前記予測ブロックを減算して、残差ブロックを生成することと
を行うように構成される、装置。
【請求項１４】
前記フル整数画素に関連する前記サブ整数画素位置のそれぞれのサブ整数画素位置ごとに、前記それぞれのサブ整数画素位置のためのフィルタサポートの前記セットは、水平または垂直な形状を有する、請求項１３に記載の装置。
【請求項１５】
前記フル整数画素に関連する前記サブ整数画素位置の各々は、異なる補間フィルタを使用する、請求項１３に記載の装置。
【請求項１６】
前記１つ以上のプロセッサは、
前記所与のサブ整数画素の値が基づくフィルタサポートの前記セットを、前に符号化されたフレームに基づいて選択すること
を行うように構成される、請求項１３に記載の装置。
【請求項１７】
ビデオデータを復号するための装置であって、
補間されたサブ整数画素値に基づいて予測ブロックを生成するための手段と、
ここで、所与のサブ整数画素の値は、前記補間されたサブ整数画素値のうちの１つであり、
前記所与のサブ整数画素のサブ整数画素位置は、フル整数画素に関連する１５個の異なるサブ整数画素位置のうちの１つであり、前記フル整数画素に関連する前記サブ整数画素位置の各々は、フィルタサポートの異なるセットを有し、
前記予測ブロックを生成することは、前記サブ整数画素位置のためのフィルタサポートのセットと、補間フィルタとに基づいて前記所与のサブ整数画素の値を計算することを備える、
元のブロックを再現するために前記予測ブロックに残差ブロックを適用するための手段と
を備える装置。
【請求項１８】
前記フル整数画素に関連する前記サブ整数画素位置のそれぞれのサブ整数画素位置ごとに、前記それぞれのサブ整数画素位置のためのフィルタサポートの前記セットは、水平または垂直な形状を有する、請求項１７に記載の装置。
【請求項１９】
前記フル整数画素に関連する前記サブ整数画素位置の各々は、異なる補間フィルタを使用する、請求項１７に記載の装置。
【請求項２０】
前記所与のサブ整数画素の値が基づくフィルタサポートの前記セットを、前に符号化されたフレームに基づいて選択するための手段
をさらに備える、請求項１７に記載の装置。
【請求項２１】
ビデオデータを符号化するための装置であって、
補間されたサブ整数画素値に基づいて予測ブロックを生成するための手段と、
ここで、所与のサブ整数画素の値は、前記補間されたサブ整数画素値のうちの１つであり、
前記所与のサブ整数画素のサブ整数画素位置は、フル整数画素に関連する１５個の異なるサブ整数画素位置のうちの１つであり、前記フル整数画素に関連する前記サブ整数画素位置の各々は、フィルタサポートの異なるセットを有し、
前記予測ブロックを生成することは、前記サブ整数画素位置のためのフィルタサポートのセットと、補間フィルタとに基づいて前記所与のサブ整数画素の値を計算することを備える、
符号化されているビデオブロックから前記予測ブロックを減算して、残差ブロックを生成するための手段と
を備える装置。
【請求項２２】
前記フル整数画素に関連する前記サブ整数画素位置のそれぞれのサブ整数画素位置ごとに、前記それぞれのサブ整数画素位置のためのフィルタサポートの前記セットは、水平または垂直な形状を有する、請求項２１に記載の装置。
【請求項２３】
前記フル整数画素に関連する前記サブ整数画素位置の各々は、異なる補間フィルタを使用する、請求項２１に記載の装置。
【請求項２４】
前記所与のサブ整数画素の値が基づくフィルタサポートの前記セットを、前に符号化されたフレームに基づいて選択するための手段
をさらに備える、請求項２１に記載の装置。
【請求項２５】
命令を記憶したコンピュータ可読記憶媒体であって、前記命令は、実行されると、ビデオ復号装置のプロセッサに、
補間されたサブ整数画素値に基づいて予測ブロックを生成することと、
ここで、所与のサブ整数画素の値は、前記補間されたサブ整数画素値のうちの１つであり、
前記所与のサブ整数画素のサブ整数画素位置は、フル整数画素に関連する１５個の異なるサブ整数画素位置のうちの１つであり、前記フル整数画素に関連する前記サブ整数画素位置の各々は、フィルタサポートの異なるセットを有し、
前記予測ブロックを生成することは、前記サブ整数画素位置のためのフィルタサポートのセットと、補間フィルタとに基づいて前記所与のサブ整数画素の値を計算することを備える、
元のブロックを再現するために前記予測ブロックに残差ブロックを適用することと
を行わせる、コンピュータ可読記憶媒体。
【請求項２６】
前記フル整数画素に関連する前記サブ整数画素位置のそれぞれのサブ整数画素位置ごとに、前記それぞれのサブ整数画素位置のためのフィルタサポートの前記セットは、水平または垂直な形状を有する、請求項２５に記載のコンピュータ可読記憶媒体。
【請求項２７】
前記フル整数画素に関連する前記サブ整数画素位置の各々は、異なる補間フィルタを使用する、請求項２５に記載のコンピュータ可読記憶媒体。
【請求項２８】
前記命令は、前記プロセッサに、
前記所与のサブ整数画素の値が基づくフィルタサポートの前記セットを、前に符号化されたフレームに基づいて選択すること
をさらに行わせる、請求項２５に記載のコンピュータ可読記憶媒体。
【請求項２９】
命令を記憶したコンピュータ可読記憶媒体であって、前記命令は、実行されると、ビデオ復号装置のプロセッサに、
補間されたサブ整数画素値に基づいて予測ブロックを生成することと、
ここで、所与のサブ整数画素の値は、前記補間されたサブ整数画素値のうちの１つであり、
前記所与のサブ整数画素のサブ整数画素位置は、フル整数画素に関連する１５個の異なるサブ整数画素位置のうちの１つであり、前記フル整数画素に関連する前記サブ整数画素位置の各々は、フィルタサポートの異なるセットを有し、
前記予測ブロックを生成することは、前記サブ整数画素位置のためのフィルタサポートのセットと、補間フィルタとに基づいて前記所与のサブ整数画素の値を計算することを備える、
符号化されているビデオブロックから前記予測ブロックを減算して、残差ブロックを生成することと
を行わせる、コンピュータ可読記憶媒体。
【請求項３０】
前記フル整数画素に関連する前記サブ整数画素位置のそれぞれのサブ整数画素位置ごとに、前記それぞれのサブ整数画素位置のためのフィルタサポートの前記セットは、水平または垂直な形状を有する、請求項２９に記載のコンピュータ可読記憶媒体。
【請求項３１】
前記フル整数画素に関連する前記サブ整数画素位置の各々は、異なる補間フィルタを使用する、請求項２９に記載のコンピュータ可読記憶媒体。
【請求項３２】
前記命令は、前記プロセッサに、
前記所与のサブ整数画素の値が基づくフィルタサポートの前記セットを、前に符号化されたフレームに基づいて選択すること
をさらに行わせる、請求項２９に記載のコンピュータ可読記憶媒体。